(57)【要約】【課題】レジスタの気流偏向用のフィン群による空気抵抗を少なくする。【解決手段】レジスタ１内の縦フィン群１０は少なくとも側壁４ａに接する位置から順に配設されたフィン１１、１２を有する。フィン１２の回転軸１２ａの回転に連動して回転するカム部材２１が配設され、フィン１１の回転軸１１ａは、カム部材２１の溝２１ａに摺動自在に係合し、カム部材２１の回転中心から溝２１ａとフィン１１の回転軸１１ａとの係合位置までの距離は、縦フィン群１０が気流３を偏向していないときに最も長い。溝２３および溝２３よりも空気吹出口２側に位置する溝２４が形成され、溝２３は溝２４の側壁側４ａ端部を中心とする円弧状に形成され、溝２４は溝２３の側壁側４ａ端部を中心とする円弧状に形成されている。フィン１１の気流入口側端部の軸１１ｂは溝２３に沿って移動でき、フィン１１の気流出口側端部の軸１１ｃは溝２４に沿って移動できる。【選択図】        図１
2005041291.tif 000002
【特許請求の範囲】
【請求項１】
レジスタ内に送り込まれた気流を空気吹出口から吹き出すレジスタであって、前記空気吹出口から吹き出す気流の方向を偏向させるフィン群がレジスタ内に配置されているレジスタにおいて、
前記フィン群は少なくともレジスタの壁に接する位置から順に配設された第１フィンおよび第２フィンを有し、
前記第２フィンの回転軸を回転中心とし、前記第２フィンの回転に連動して回転するカム部材が配設され、このカム部材に溝が形成され、
前記第１フィンの回転軸は、前記カム部材の溝に摺動自在に係合し、
前記カム部材の回転により前記第１フィンはその回転軸が前記壁から離れるように移動しつつ、前記第２フィンの回転と同じ方向に回転することを特徴とするレジスタ。
【請求項２】
請求項１に記載したレジスタであって、
前記カム部材の回転中心から前記溝と前記第１フィンの回転軸との係合位置までの距離は、前記フィン群が前記気流の方向を偏向していないときに最も長く、
第１ガイドおよび前記第１ガイドよりも前記空気吹出口側に位置する第２ガイドがレジスタに形成され、
前記第１ガイドは前記第２ガイドの前記壁側端部を中心とする円弧状に形成され、前記第２ガイドは前記第１ガイドの前記壁側端部を中心とする円弧状に形成され、
前記第１フィンの気流入口側端部は前記第１ガイドに沿って移動可能であり、前記第１フィンの気流出口側端部は前記第２ガイドに沿って移動可能であることを特徴とするレジスタ。
【請求項３】
請求項２に記載したレジスタにおいて、
前記カム部材の溝は前記フィン群が気流の方向を偏向していないときに前記第１フィンの回転軸が前記カム部材の溝に係合する位置と前記カム部材の回転中心とを結ぶ直線に関して線対称に形成されていることを特徴とするレジスタ。
【発明の詳細な説明】
【０００１】
【発明の属する技術分野】
本発明は、気流を空気吹出口から吹き出すレジスタに関し、特に、レジスタ内に設けられた気流偏向用のフィン群の空気抵抗を低減させたレジスタに関するものである。
【０００２】
【従来の技術】
従来、自動車の車室内のインストルメントパネル等には、レジスタが設けられている。このレジスタは空調装置の温冷風等の気流の吹き出し方向を偏向するものである。図８は、このレジスタの従来例を示す。（例えば特許文献１）
図８に示すレジスタ６０では、その前面にベゼル６１が配設され、ベゼル６１の後にダクト状のリテーナ６２が取り付けられている。ベゼル６１の前面には空気吹出口６１ａが形成され、空気吹出口６１ａには複数の連動するフィンからなる水平フィン群６３が配設されている。さらに、リテーナ６２内にて水平フィン群６３より風上側には複数の連動するフィンからなる垂直フィン群６４が配設されている。
【０００３】
空気吹出し口６１ａには、水平フィン群６３の一つのフィンを摺動自在に挟むようにフィン操作ノブ６５が配設され、このフィン操作ノブ６５のスリット６５ａが垂直フィン群６４のフィンに取り付けられた縦方向のロッド６４ａに摺動自在に連結されている。このため、フィン操作ノブ６５の傾斜度を操作することにより水平フィン群６３の気流偏向方向を変えることができ、さらに、フィン操作ノブ６５を水平フィン群６３の前記一つのフィンに沿って摺動させることにより、垂直フィン群６４の気流偏向方向を変えることができる。そして、水平フィン群６３の気流偏向方向を変えることにより、レジスタ６０から吹き出す気流の方向を上下に変えることができ、垂直フィン群６４の気流偏向方向を変えることにより、レジスタ６０から吹き出す気流の方向を左右に変えることができる。
【０００４】
【特許文献１】
特開平９−１０１０５８号公報
【０００５】
【発明が解決しようとする課題】
しかし、上記従来例では、水平フィン群６３および垂直フィン群６４がレジスタ６０内に配設されているので、レジスタ６０内の気流が各フィン群６３、６４を通過するときの各フィン群６３、６４による空気抵抗が問題になった。
特に、各フィン群６３、６４は、気流の方向を偏向しないときには、全く不要のものであるので、気流の方向を偏向しないときの各フィン群６３、６４の空気抵抗を少なくすることが望まれていた。
そこで、本発明が解決しようとする課題は、気流の方向を偏向しないときに、レジスタの気流偏向用フィン群による空気抵抗を少なくすることである。
【０００６】
【課題を解決するための手段】
上記課題を解決するため、請求項１記載の発明は、レジスタ内に送り込まれた気流を空気吹出口から吹き出すレジスタであって、前記空気吹出口から吹き出す気流の方向を偏向させるフィン群がレジスタ内に配置されているレジスタにおいて、前記フィン群は少なくともレジスタの壁（例えば側壁、上板、下板）に接する位置から順に配設された第１フィンおよび第２フィンを有し、前記第２フィンの回転軸を回転中心とし、前記第２フィンの回転に連動して回転するカム部材が配設され、このカム部材に溝が形成され、前記第１フィンの回転軸は、前記カム部材の溝に摺動自在に係合し、前記カム部材の回転により前記第１フィンはその回転軸が前記壁から離れるように移動しつつ、前記第２フィンの回転と同じ方向に回転することを特徴とするレジスタである。
これにより、前記フィン群のレジスタの壁に接する位置から順に配設された第１フィンおよび第２フィンのうち、前記第１フィンの回転軸は、前記第２フィンの回転軸を回転中心とし前記第２フィンの回転に連動して回転するカム部材の溝に摺動自在に係合している。そして、前記カム部材の回転により前記第１フィンはその回転軸が前記壁から離れるように移動しつつ、前記第２フィンの回転と同じ方向に回転し、これにより前記フィン群は、前記フィン群を通過する気流の方向を前記第１および第２フィンの回転方向に偏向する。
【０００７】
さらに、請求項２記載の発明は、請求項１記載の発明において、前記カム部材の回転中心から前記溝と前記第１フィンの回転軸との係合位置までの距離は、前記フィン群が前記気流の方向を偏向していないときに最も長く、第１ガイドおよび前記第１ガイドよりも前記空気吹出口側に位置する第２ガイドがレジスタに形成され、前記第１ガイドは前記第２ガイドの前記側壁側端部を中心とする円弧状に形成され、前記第２ガイドは前記第１ガイドの前記側壁側端部を中心とする円弧状に形成され、前記第１フィンの気流入口側端部は前記第１ガイドに沿って移動可能であり、前記第１フィンの気流出口側端部は前記第２ガイドに沿って移動可能であることを特徴とするレジスタである。
これにより、前記カム部材の回転中心から前記溝と前記第１フィンの回転軸との係合位置までの距離は、前記フィン群が前記気流の方向を偏向していないときに最も長い。ここで、第１ガイドおよび前記第１ガイドよりも前記空気吹出口側に位置する第２ガイドがレジスタの壁に形成され、前記第１ガイドは前記第２ガイドの前記側壁側端部を中心とする円弧状に形成され、前記第２ガイドは前記第１ガイドの前記側壁側端部を中心とする円弧状に形成されている。そして、前記第１フィンの気流入口側端部は前記第１ガイドに沿って移動可能であり、前記第１フィンの気流出口側端部は前記第２ガイドに沿って移動可能であるので、前記第１フィンを第２フィンに連動させて回動させることができ、その際、フィン群全体として気流の方向を偏向させることができるとともに、気流の方向を偏向しないときは、前記第１フィンがレジスタの側壁に接するので、前記第１フィンによる空気抵抗を小さくすることができる。
【０００８】
さらに、請求項３記載の発明は、請求項２に記載した発明において、前記カム部材の溝は前記フィン群が気流の方向を偏向していないときに前記第１フィンの回転軸が前記カム部材の溝に係合する位置と前記カム部材の回転中心とを結ぶ直線に関して線対称に形成されていることである。
これにより、前記フィン群により気流を左右または上下方向に偏向させるときに、前記第１フィンの回転軸が気流を左右または上下方向に対称に偏向させることができる。
【０００９】
【発明の実施の形態】
以下、本発明における実施の形態を図面に基づいて説明する。図１は、本発明の実施の形態に係るレジスタの一部分を切り欠いた平面を示し、図２は図１のレジスタの縦断面構造を示し、図３は図１の一部分を拡大して示す。図４は図３の縦フィンが気流を図示左方向に偏向させる場合の動作を示し、図５は図３の縦フィンが気流を図示右方向に偏向させる場合の動作を示し、図６は図３の縦フィンの動作原理を説明している。さらに、図７は図１の縦フィン群等をレジスタの気流吹出口側から見た状態を示す。
【００１０】
図１に示すように、レジスタ１の前部に空気吹出口２が形成され、レジスタ１内に送り込まれた気流３を空気吹出口２から吹き出す際に、空気吹出口２から吹き出す気流３を左右方向に偏向させる縦フィン群１０がレジスタ１内に配置されている。
縦フィン群１０は図示左側から順に配設された５つの縦フィン１１、１２、１３、１４、１５を有し、縦フィン１１はレジスタ１の図示左側の側壁４ａに接する位置に配置され、縦フィン１５はレジスタ１の図示右側の側壁４ｂに接する位置に配置されている。縦フィン１１、１５は請求項における「第１フィン」に相当し、縦フィン１２、１４は請求項における「第２フィン」に相当する。
【００１１】
まず、縦フィン１１、１２について説明すると、以下のようになる。
図１に示すように、レジスタ１の下板６（図２参照）の側壁４ａ付近に溝２５が形成され、溝２５は２つの枝部２５ａ、２５ｂに枝別れしている（図６参照）。さらに、レジスタ１の上板５にも溝２５に相当する図示しない溝が形成されている。縦フィン１１の回転軸１１ａは、その下端部が下板６の溝２５に摺動自在に係合し、その上端部が上板５の溝２５に相当する溝に摺動自在に係合している。
図２に示すように縦フィン１２の回転軸１２ａの上端部のレジスタ１の上板５の上方に突出した部分にカム部材２１が固定され、図１に示すように、このカム部材２１に溝２１ａが形成されている。このため、カム部材２１は回転軸１２ａを回転中心として回転する。縦フィン１１の回転軸１１ａの上端部は、カム部材２１の溝２１ａに摺動自在に係合する。
図３に示すように、溝２１ａと縦フィン１１の回転軸１１ａとの係合位置と縦フィン１２の回転軸１２ａとの距離Ｌは、回転軸１２ａを中心として縦フィン群１０が気流３を左右方向に偏向していないときの前記係合位置（図３の係合位置）を通る円弧Ｍの内側にあるので、縦フィン群１０が気流３を左右方向に偏向していないときに、前記距離Ｌが最も長くなる。
【００１２】
図１に示すように、請求項の「第１ガイド」に相当する溝２３および請求項の「第２ガイド」に相当する溝２４がレジスタ１の下板６（図２、図７参照）に形成されている。ここで、溝２４は溝２３よりも空気吹出口２側に設けられている。そして、溝２３は溝２４の側壁４ａ側端部を中心とする円弧状に形成され、溝２４は溝２３の側壁４ａ側端部を中心とする円弧状に形成されている。さらに、溝２３、２４に相当する図示しない溝がレジスタ１の上板５にも形成されている。
縦フィン１１の気流入口側端部の軸１１ｂは、その下端部が溝２３に係合し、その上端部が溝２３に相当する上板５の溝に係合した状態で溝２３に沿って移動可能である。なお、この移動の際に回転軸１１ａが前記枝部２５ｂに係合する。また、縦フィン１１の気流出口側端部の軸１１ｃは、その下端部が溝２４に係合しその上端部が溝２４に相当する上板５の溝に係合した状態で溝２４に沿って移動可能であり、その移動の際に回転軸１１ａが前記枝部２５ａに係合する。
縦フィン群１０が気流３を左右方向に偏向しているときは、カム部材２１の溝２１ａと縦フィン１１の回転軸１１ａとの係合位置は、縦フィン群１０が気流３を左右方向に偏向していないときの前記係合位置と縦フィン１２の回転軸１２ａとを結ぶ直線に関し線対称になる。
【００１３】
このため、カム部材２１は縦フィン１２の回転軸１２ａを回転中心とし縦フィン１２の回転に連動して回転し、縦フィン１１を縦フィン１２に連動させて回動させることができる。その際、縦フィン群１０は、縦フィン群１０を通過する気流３の方向を縦フィン１１、１２の回転方向に偏向させることができる。
【００１４】
つぎに、縦フィン１４、１５について説明する。
図１の縦フィン１５は縦フィン１１と同様に請求項における「第１フィン」に相当するので、その回転軸１５ａ、軸１５ｂ、１５ｃはそれぞれ縦フィン１１の回転軸１１ａ、軸１１ｂ、１１ｃに相当する。また、縦フィン１４は縦フィン１２と同様に請求項における「第２フィン」に相当するので、その回転軸１４ａおよび軸１４ｂは、それぞれ縦フィン１２の回転軸１２ａおよび軸１２ｂに相当する。さらに、カム部材２６はカム部材２１に相当し、レジスタ１の下板６に形成された溝２７、２８、２９はそれぞれ溝２３、２４、２５に相当し、溝２３、２４、２５に相当する溝が上板５にも形成されている。
【００１５】
図２に示すように、縦フィン群１０を通過した気流３を上下方向に偏向させる横フィン群３０がレジスタ１の空気吹出口２に配置されている。横フィン群３０は、縦方向に順次配設された５枚の横フィン３１を備えている。各横フィン３１は、その回転軸３１ａがレジスタ１の側壁４ａ、４ｂ（図１参照）に回動自在に支えられている。そして、ロッド３２が各横フィン３１の軸に回動自在に連結されているので、各横フィン３１は連動するように構成されている。
【００１６】
横フィン群３０の中央の横フィン３１にフィン操作ノブ４０が取り付けられ、フィン操作ノブ４０の後端部にラック５１が形成されている。このラック５１は縦フィン群１０の中央部の縦フィン１３の回転軸１３ａに取り付けられた扇型状の歯車５２（図１参照）と螺合している。
縦フィン群１０の縦フィン１２、１３、１４はそれそれ縦軸となる回転軸１２ａ、１３ａ、１４ａを回転中心として時計周り方向および反時計周り方向に回動可能である。そして、各縦フィン１２、１３、１４はその軸１２ｂ、１３ｂ、１４ｂによりロッド２２に回動可能に連結されているので、互いに連動して時計周り方向および反時計周り方向に回動可能である。
【００１７】
以上の構成のレジスタ１の縦フィン群１０は以下のように動作する。
フィン操作ノブ４０を図１の左方向（矢印４１の方向）に移動させると、フィン操作ノブ４０の後部のラック５１に螺合している歯車５２が図１の時計周り方向に回転し、これにより縦フィン１３が時計周り方向に回転し、この縦フィン１３に連動して縦フィン１２、１４が時計周り方向に回転する。このため、カム部材２１、２６が時計周り方向に回転し、これにより図４に示すように縦フィン１１が時計周り方向に回転し、縦フィン１５も同様に時計周り方向に回転する。この結果、縦フィン群１０は、縦フィン群１０を通過する気流３を図１の左方向に偏向させることができる。
上記と反対にフィン操作ノブ４０を図１の右方向（矢印４２の方向）に移動させると、縦フィン群１０は、縦フィン群１０を通過する気流３を図１の右方向に偏向させることができる（図５参照）。
また、縦フィン群１０が気流３を左右に偏向していないときは、縦フィン１１、１５はそれぞれ側壁４ａ、４ｂに接しているので、縦フィン１１、１５による空気抵抗を著しく小さくすることができる。
さらに、縦フィン群１０により気流３を左右方向に偏向させるときに、縦フィン１１、１５が気流を左右または上下方向に対称に偏向させることができる。
【００１８】
なお、フィン操作ノブ４０の先端部を図２の上方向（矢印４３の方向）に回転させると、横フィン群３０が気流３を上方向に偏向させ、反対にフィン操作ノブ４０の先端部を図２の下方向（矢印４４の方向）に回転させると、横フィン群３０が気流３を下方向に偏向させる。
【００１９】
なお、上記実施の形態において、カム部材２１、２６に連動する２つの縦フィン１１、１５が開示されているが、これに限定されず、１つのフィンがカム部材に連動するようにしてもよい。
また、縦フィン群１０の縦フィンの数は、図示されたものに限定されず、必要に応じて任意の数とすることができる。
また、縦フィン群１０の例が示されているが、これに限らず、気流３を上下方向に偏向させる横フィン群にも本発明は適用可能である。
【００２０】
【発明の効果】
請求項１記載の発明によれば、レジスタのフィン群全体として気流の方向を偏向させることができるとともに、気流の方向を偏向しないときは、フィン群の空気抵抗を小さくすることができる。
さらに、請求項２記載の発明によれば、請求項１記載の発明の効果とともに、請求項１記載のレジスタを容易に構成することができる。
さらに、請求項３記載の発明によれば、請求項２記載の発明の効果とともに、
レジスタのフィン群により気流を左右方向、上下方向等の偏向方向に対称に偏向させることができる。
【図面の簡単な説明】
【図１】本発明の実施の形態に係るレジスタの一部分を切り欠いて示す平面図である。
【図２】図１のレジスタの縦断面を示す断面図である。
【図３】図１の一部分を拡大して示す平面図である。
【図４】図３の縦フィンが気流を図示左方向に偏向させる場合の動作を示す説明図である。
【図５】図３の縦フィンが気流を図示右方向に偏向させる場合の動作を示す説明図である。
【図６】図３の縦フィンの動作原理を示す説明図である。
【図７】図１の縦フィン群等の気流吹出口側から見た状態を示す部分図である。
【図８】従来例を分解して示す斜視図である。
【符号の説明】
１  レジスタ
２  空気吹出口
３  気流
４ａ、４ｂ  レジスタの側壁
１０  縦フィン群（フィン群）
１１、１５  縦フィン（第１フィン）
１１ａ、１５ａ  回転軸
１１ｂ、１５ｂ  軸（気流入口側端部）
１１ｃ、１５ｃ  軸（気流出口側端部）
１２、１４  縦フィン（第２フィン）
１２ａ、１４ａ  回転軸
２１、２６  カム部材
２１ａ  溝
２３、２７  溝（第１ガイド）
２４、２８  溝（第２ガイド）
【図１】
2005041291.tif 000003
【図２】
2005041291.tif 000004
【図３】
2005041291.tif 000005
【図４】
2005041291.tif 000006
【図５】
2005041291.tif 000007
【図６】
2005041291.tif 000008
【図７】
2005041291.tif 000009
【図８】
2005041291.tif 000010